(57)【特許請求の範囲】
【請求項１】
自動販売機の本体の前面に扉を設けた自動販売機において、
前記本体内部に商品を収納する第１コラム群と第２コラム群を前後方向同一位置で設けると共に、前記第１コラム群は商品を後方に搬出可能に構成し、前記第２コラム群は商品を前方に搬出可能に構成し、
前記第１コラム群と前記第２コラム群共に前方から商品の収納が可能であり、
前記第１コラム群を前記本体内部の上部に設け、
前記第２コラム群を前記第１コラム群以外の位置である前記第１コラム群の側方及び下方に設け、
前記扉の後面に商品を収納する第３コラム群を設け、
前記扉を前記本体より開けた場合に、前記本体に設けた第１コラム群、第２コラム群及び前記扉に設けた第３コラム群を視認できるようにした
ことを特徴とする自動販売機。
【請求項２】
前記第１コラム群は、前記本体内部の上部における隅部に設けた
ことを特徴とする請求項１記載の自動販売機。
【発明の詳細な説明】
【０００１】
【発明の属する技術分野】
本発明は、タバコ等の自動販売機に関するものである。
【０００２】
【従来の技術】
従来、タバコ等の自動販売機において、販売する商品を収納するコラムは、自動販売機の本体に設けられている。そして、このコラムに商品を収納する場合には、本体前部に設けられた扉を開けて、コラムを外部に露出させ、各コラムに商品を収納していた。
【０００３】
【発明が解決しようとする課題】
しかしながら、最近の自動販売機においては販売する商品の種類が多くなってきたため、本体に設けるコラムを前後２列にして設けている場合がある。このように設けた場合には、自動販売機の扉を開けただけでは、本体の後側に位置するコラムの状態が把握しにくいという問題がある。
【０００４】
特に、自動販売機に商品を補給するサービスマンは、短時間で商品を補給する必要があるため、扉を開けた状態でコラムに商品があるか否かをすぐに判断する必要があるが、前記のように後方にコラムが位置すると、そのコラムに商品があるかないかの判断が困難となり、サービスを行いにくいという問題があった。
【０００５】
そこで、本発明は上記問題点に鑑み、商品を補給するサービスマンが容易にコラムに商品があるかないかを判断できる自動販売機を提供するものである。
【０００６】
【課題を解決するための手段】
請求項１の発明は、自動販売機の本体の前面に扉を設けた自動販売機において、前記本体内部に商品を収納する第１コラム群と第２コラム群を前後方向同一位置で設けると共に、前記第１コラム群は商品を後方に搬出可能に構成し、前記第２コラム群は商品を前方に搬出可能に構成し、  前記第１コラム群と前記第２コラム群共に前方から商品の収納が可能であり、前記第１コラム群を前記本体内部の上部に設け、前記第２コラム群を前記第１コラム群以外の位置である前記第１コラム群の側方及び下方に設け、前記扉の後面に商品を収納する第３コラム群を設け、前記扉を前記本体より開けた場合に、前記本体に設けた第１コラム群、第２コラム群及び前記扉に設けた第３コラム群を視認できるようにしたものである。
【０００７】
請求項２の発明は、請求項１のものにおいて、前記第１コラム群は、前記本体内部の上部における隅部に設けたものである。
【０００８】
【作  用】
この自動販売機であると、扉を開けた状態で、本体に設けられた第１コラム群、第２コラム群及び扉に設けられた第３コラム群を一度に視認することができるため、どのコラムに商品があるかないかを容易に判断でき、自動販売機に対するサービスを短時間で行うことができる。
【０００９】
【発明の実施の形態】
以下、本発明のタバコＴの自動販売機１０について、図１〜図３に基づいて説明する。
【００１０】
符号１２は、自動販売機１０の本体である。
【００１１】
符号１４は本体前部に設けられた扉であって、その前面には、サンプルのタバコＴを陳列するための陳列棚１６，１６，１６、商品選択ボタン１８、商品取出口２０、コイン投入口２２、返却レバー２３、表示器２４、紙幣を取扱うためのデリバリプレート２６が設けられている。
【００１２】
符号２８は、本体１２内部に設けられた第１コラムであって、本体１２の左上部に左右方向に複数列設けられ、各列にそれぞれ異なったタバコＴを収納することができる。この第１コラム２８は、その下端部に搬出装置３０が設けられ、この搬出装置３０に複数のタバコＴを積層する。そして、販売指令信号が搬出装置３０に入力すると、搬出装置３０が作動して、積層されたタバコＴのうち最下段のタバコＴを図３に示すように、第１コラム２８の後方に搬出する。また、第１コラム２８にタバコＴを収納する場合には、第１コラム２８の前方から収納する。また、第１コラム２８に収納されているタバコＴの状態は、第１コラム２８の前方から視認することができる。
【００１３】
符号３２は、前記第１コラム２８以外の位置に設けられている第２コラムである。この第２コラム３２の構造は、第１コラム２８とほぼ同様の構造であるが、第１コラム２８とは反対に、図３に示すように、タバコＴを前方に搬出する。この第２コラム３２は、左右方向に複数列設けられ、各列にそれぞれ異なったタバコＴを収納することができる。第２コラム３２にタバコＴを収納する場合には、第２コラム３２の前方から収納する。また、第２コラム３２に収納されているタバコＴの状態は、第２コラム３２の前方から視認することができる。
【００１４】
符号３４は、第１コラム２８から搬出されたタバコＴを扉１４に設けられた商品取出し口２０に案内する第１シュートである。
【００１５】
符号３６は、第２コラム３２の下方に設けられた第２シュートであって、第２コラム３２から搬出されたタバコＴを商品取出口２０に案内する。
【００１６】
符号３８は、扉１４の後面に設けられた扉カバーである。この扉カバー３８は、扉１４に設けられたデリバリプレート２６や陳列棚１６を覆うものであり、扉１４に対し回動自在に取付けられ、陳列棚１６等を操作する場合には、扉１４に対しこの扉カバー３８を開けることができる。
【００１７】
符号４０は、扉カバー３８の後面に設けられた第３コラムである。この第３コラム４０は左右方向に複数列設けられ、その構造は第１コラム２８と同様である。そして、この第３コラム４０にタバコＴを収納する場合には、後方から収納し、第３コラム４０にタバコＴが収納されているか否かの状態は、その後方から視認可能となっている。また、第３コラム４０から搬出されるタバコＴは、図３に示すように、後方に搬出される。この搬出されたタバコＴは第２シュート３６を通って商品取出口２０に至る。
【００１８】
上記構成の自動販売機１０において、サービスマンがタバコＴの販売状態を確認する場合には、本体１２に対し扉１４を開ける。すると、図２に示すように、第１コラム２８、第２コラム３２、第３コラム４０の内容が一目で確認することができる。そのため、サービスマンは扉１４を開けるだけでタバコＴの残量が少ないコラムを確認でき商品を補給することができる。そのため、自動販売機１０に対するサービスの時間を短縮することができる。
【００１９】
また、デリバリプレート２６等を操作する場合には、扉カバー３８を開けることによって行うことができる。
【００２０】
さらに、タバコＴを補給する場合には、扉１４を開けるだけで、第１コラム２８、第２コラム３２に対しては前方からタバコＴを補給でき、第３コラム４０に対しては後方からタバコＴを補給することができる。そのため、その補給時間を短縮することができる。
【００２１】
【発明の効果】
以上により本発明の自動販売機であると、扉を開けるだけで本体に設けられたコラム及び扉に設けられたコラムの内容を確認でき、残量が少ない商品の状態を一目で確認することができる。
【図面の簡単な説明】
【図１】  本発明の一実施例を示す自動販売機の斜視図である。
【図２】  扉を開けた状態の自動販売機の斜視図である。
【図３】  図２におけるＡ−Ａ線断面図である。
１０  自動販売機
１２  本体
１４  扉
２０  第１コラム
３０  搬出装置
３２  第２コラム
３８  扉カバー
４０  第３コラム
【図１】
0003684460.tif 000002
【図２】
0003684460.tif 000003
【図３】
0003684460.tif 000004